(57)【特許請求の範囲】
【請求項１】
壁裏に配線・配管される配線・配管材を釘類から保護するために前記壁裏に配置される保護具であって、
前記壁裏の構造物に固定される固定部と、前記固定部により構造物に固定された状態で前記配線・配管材を保護する保護部とを備え、
前記保護部は、釘類の打ち付けを可能にすべく壁板との間に空間部を形成可能な配線・配管材の保護具であって、
前記固定部は、保護部の一端に連結され、保護部と固定部の連結部は、釘類の打ち付けにより、固定部に対する保護部の回動により前記保護具が壁板に対して後退可能なヒンジ部で構成されていることを特徴とする配線・配管材の保護具。
【請求項２】
壁裏に配線・配管される配線・配管材を釘類から保護するために前記壁裏に配置される保護具であって、
前記壁裏の構造物に固定される固定部と、前記固定部により構造物に固定された状態で前記配線・配管材を保護する保護部とを備え、
前記保護部は、釘類の打ち付けを可能にすべく壁板との間に空間部を形成可能な配線・配管材の保護具であって、
前記固定部は、保護部に対してほぼ直角に折り曲げられ、
固定用のビスを挿通するために前記固定部に形成されたビス挿通孔は、壁板に釘類が打ち付けられることにより保護具全体が壁板に対して後退して、壁板との間に空間部を形成可能にすべく長孔に形成されていることを特徴とする配線・配管材の保護具。
【発明の詳細な説明】
【技術分野】
【０００１】
本発明は、壁裏に配線・配管される配線・配管材を釘類から保護するために前記壁裏に配置される保護具に関するものである。
【背景技術】
【０００２】
木造建物の壁体の一つとして、土台に所定間隔をおいて立設された柱、間柱に複数本の胴縁材が上下方向の所定間隔をおいて水平に連結配置されて躯体が形成され、前記躯体の両側に壁板を取付けて構成されるものがある。このような壁体内に、配線・配管材を上下方向に配線・配管する場合には、前記胴縁材に側面に開口した切欠き溝を形成して、該切欠き溝に前記配線・配管材を挿通している。そして、壁板と胴縁とを釘により固定する際に、前記配線・配管材が配置されている部分を釘打ちすると、釘の先端が配線・配管材に突刺して損傷させてしまうので、前記切欠き溝の側面開口に保護具を当てがって、上記不具合を防止している（特許文献１）。
【０００３】
前記保護具が設置されている部分に釘打ちした場合でも、壁表側から保護具の保護部までの長さに比較して長い釘を使用した場合には、釘の先端が保護部に当接することにより、釘が大きく曲がってそれ以上打ち付けられなくなって、一旦打ち付けた釘を抜かざるを得なくなったり、或いは釘の強度が保護部に比較して大きい場合には、釘が前記保護部を貫通して配線・配管材を突刺して損傷させることもあった。
【０００４】
ここで、壁体内に配線・配管される配線・配管材には、床下の部分から建物の土台を貫通して壁体内に立ち上がって配管されるもの（例えば、給湯水管）もある。一方、前記壁体を構成する壁板の下端部と床板と接続する部分には、幅木が水平方向に取付けられて、前記壁板と床板との空間部と各壁板の下端部の不揃いを隠蔽している。
【０００５】
前記幅木は、鋲打機を使用して壁板に鋲固定しており、前記鋲打機に使用される鋲は、壁板と幅木との各板厚の和を遥かに越える長さを有しているものが規格品として一般的に使用される。このため、壁表側から所定間隔をおいて幅木を壁板に鋲打ちした場合に、その壁裏に前記配線・配管材が配置されていると、壁体内における配線・配管材の立上り部が鋲により突刺されてしまう。しかし、現時点で使用されている配線・配管材の保護具は、胴縁材の切欠き溝の側面開口に当てがう保護具が使用されているのみで、壁板に幅木を鋲固定する際の鋲が壁体内の配線・配管材を突刺するのを阻止する保護具は、存在していなかった。
【特許文献１】特開２００４−２５４４６４号公報
【発明の開示】
【発明が解決しようとする課題】
【０００６】
本発明は、上記した不具合に鑑み、壁板に幅木等を釘類により固定する際に、釘類の打ち付けと壁体内の配線・配管材の保護との双方を可能にする保護具を提供することを課題としている。
【課題を解決するための手段】
【０００７】
上記課題を解決するための請求項１の発明は、壁裏に配線・配管される配線・配管材を釘類から保護するために前記壁裏に配置される保護具であって、前記壁裏の構造物に固定される固定部と、前記固定部により構造物に固定された状態で前記配線・配管材を保護する保護部とを備え、前記保護部は、釘類の打ち付けを可能にすべく壁板との間に空間部を形成可能な配線・配管材の保護具であって、前記固定部は、保護部の一端に連結され、保護部と固定部の連結部は、釘類の打ち付けにより、固定部に対する保護部の回動により前記保護具が壁板に対して後退可能なヒンジ部で構成されていることを特徴としている。
【０００８】
請求項１の発明によれば、保護部は、固定部との連結部であるヒンジ部を中心にして回動し易い構造になっているので、釘類の先端が保護部に衝突すると、その打付け衝突力によって、保護部は容易に壁板に対して後退して、配線・配管材の側に回動され、保護部と壁板との間に、釘類の打ち付けを可能とする空間部が確実に形成されると共に、釘類の打付け時に保護部が壁板に対して後退するので、保護部に対する釘類の打付け衝突力が小さくなって、釘類の打ち付けもスムーズに行える。
【０００９】
【００１０】
【００１１】
【００１２】
【００１３】
請求項２の発明は、壁裏に配線・配管される配線・配管材を釘類から保護するために前記壁裏に配置される保護具であって、前記壁裏の構造物に固定される固定部と、前記固定部により構造物に固定された状態で前記配線・配管材を保護する保護部とを備え、前記保護部は、釘類の打ち付けを可能にすべく壁板との間に空間部を形成可能な配線・配管材の保護具であって、前記固定部は、保護部に対してほぼ直角に折り曲げられ、固定用のビスを挿通するために前記固定部に形成されたビス挿通孔は、壁板に釘類が打ち付けられることにより保護具全体が壁板に対して後退して、壁板との間に空間部を形成可能にすべく長孔に形成されていることを特徴としている。
請求項２の発明によれば、固定部は、保護部に対してほぼ直角に折り曲げられ、固定用のビスを挿通するために前記固定部に形成されたビス挿通孔は、壁板に釘類が打ち付けられることにより保護具全体が壁板に対して後退して、壁板との間に空間部を形成可能にすべく長孔に形成されているので、壁裏の構造物に保護具をビスにより固定する際に、保護具全体が後退可能な程度まで前記固定を緩くしておくと、釘類の先端が保護部に衝突すると、その打付け衝突力によって、保護具全体は壁板に対して容易に後退して、壁板と保護部との間に釘類の打ち付けを可能とする空間部が確実に形成されると共に、釘類の打付け時に保護部が壁板に対して後退するので、保護部に対する釘類の打付け衝突力が小さくなって、釘類の打ち付けもスムーズに行える。
【発明の効果】
【００１４】
請求項１の発明によれば、保護部は、固定部との連結部であるヒンジ部を中心にして回動し易い構造になっているので、釘類の先端が保護部に衝突すると、その打付け衝突力によって、保護部は容易に壁板に対して後退して、配線・配管材の側に回動され、保護部と壁板との間に、釘類の打ち付けを可能とする空間部が確実に形成されると共に、釘類の打付け時に保護部が壁板に対して後退するので、保護部に対する釘類の打付け衝突力が小さくなって、釘類の打ち付けもスムーズに行える。
また、請求項２の発明によれば、固定部は、保護部に対してほぼ直角に折り曲げられ、固定用のビスを挿通するために前記固定部に形成されたビス挿通孔は、壁板に釘類が打ち付けられることにより保護具全体が壁板に対して後退して、壁板との間に空間部を形成可能にすべく長孔に形成されているので、壁裏の構造物に保護具をビスにより固定する際に、保護具全体が後退可能な程度まで前記固定を緩くしておくと、釘類の先端が保護部に衝突すると、その打付け衝突力によって、保護具全体は壁板に対して容易に後退して、壁板と保護部との間に釘類の打ち付けを可能とする空間部が確実に形成されると共に、釘類の打付け時に保護部が壁板に対して後退するので、保護部に対する釘類の打付け衝突力が小さくなって、釘類の打ち付けもスムーズに行える。
【発明を実施するための最良の形態】
【００１５】
以下、実施例を挙げて、本発明を更に詳細に説明する。図１は床板Ｆの敷設を終えた状態（壁板７を立てる直前の状態）の床部の模式的平面図、図２は図１のＸ1 −Ｘ1 線断面図、図３は本発明の第１実施例の保護具Ａ1 の斜視図、図４は床板Ｆの壁内への侵入部Ｆ1 に給湯水管Ｂに当接させて取付けた保護具Ａ1 により、給湯水管Ｂが保護される状態を壁表側から見た斜視図、図５は図４の状態の平面図、図６は図５のＹ−Ｙ線断面図である。
【実施例１】
【００１６】
最初に、建物の床部の構成について説明する。図１及び図２に示されるように、建物の床部の周縁部には、基礎１（図２参照）が敷設されていて、該基礎１に土台２が取付けられている。前記土台２のコーナー部に各柱３が立設されていると共に、各柱３どうしの間に所定間隔をおいて複数本の間柱４が立設されている。なお、図１において、間柱４の数は、現実の数よりも少なくして表現してある。前記土台２には、床部の幅方向の両側部に相対向して立設される間柱４どうしを結ぶ形態で各根太５が架設されていて、各根太５の長手方向と直交する方向に沿って多数枚の下張り材６ａと床板材６ｂとが、重なり状態で敷設される。以降、下張り材６ａと床板材６ｂとを総称して「床板Ｆ」と記載すると共に、床部の長手方向（奥行方向）をＰ、幅方向（左右方向）をＱと記載する。図１に示される建物の床部の場合、床板Ｆの長手方向Ｐの両端部は、間柱４の壁表側の面（壁表面４ａ）よりも所定長さだけ壁内に侵入していて、該侵入部Ｆ1 に本発明に係る保護具Ａ1 が取付けられる。各床板Ｆにおける一方側の侵入部Ｆ1(図１の図面視における上部）の侵入長Ｌ1 は、他方側の侵入部（同じく下部）の侵入長よりも長い。そして、床板Ｆの幅方向Ｑの端部は、各柱３及び各間柱４の壁表面３a,４a に接して敷設されているため、床板Ｆが壁内に侵入することはない。
【００１７】
図２に示されるように、床板Ｆの敷設が終了すると、各柱３及び各間柱４に、壁体Ｋを構成する壁板７が取付けられ、床板Ｆの侵入部Ｆ1 が隠蔽される。各壁板７は、上端部を基準に取付けられるため、それらの下端部は不揃いとなり、床板Ｆとの間に隙間７ａが形成されている。続いて、壁板７の下部に幅木８が水平方向に沿って取付けられる。幅木８の下端部は、床板Ｆの上面に接するため、幅木８が取付けられることにより、壁板７の隙間７ａが隠蔽される。図２は、室内側に壁板７が取付けられた状態、即ち、施工途中の壁体Ｋの状態を示している。
【００１８】
図２及び図４に示されるように、前記幅木８の上部には、水平方向に沿って横溝部８ａが設けられている。該幅木８は、鋲打機（図示せず）によって多数本の鋲９が、壁板７の表側から横溝部８ａに打ち込まれることによって固定される。鋲９は、方形状の断面を有していて、先端部９ａが先鋭に形成され、基端部９ｂが略Ｔ字状に形成されている。鋲９の長さは、壁板７と幅木８との各板厚の和を遥かに超えるものが使用される（図４参照）。このため、鋲９は、そのまま幅木８の横溝部８ａに打ち付けた場合には、壁内に立ち上がった給湯水管Ｂに突刺する長さを有している。
【００１９】
建物の床部における壁裏の部分に、給湯水管Ｂが配設される。図１に示される床部の場合には、床板Ｆの長手方向Ｐの端部の壁裏の部分と、同じく幅方向Ｑの端部の壁裏の部分に、それぞれ給湯水管Ｂが配設されている。図２に示されるように、各給湯水管Ｂは、床下から土台２に設けられた通し孔２ａを通り、壁裏に立ち上がって配設されている。各給湯水管Ｂの上端には、水栓ボックス（図示せず）に連結されていて、各給湯水管Ｂの「立上り状態」が維持されている。
【００２０】
図２に示されるように、各給湯水管Ｂが配設されている部分に、前記給湯水管Ｂを鋲９から保護するための保護具Ａ1 が取付けられている。第１実施例の保護具Ａ1 について説明する。図３に示されるように、保護具Ａ1 は、金属薄板（本実施例の場合、板厚は１mm）を折り曲げて形成され、幅木８の高さのほぼ２倍の高さを有する縦長の長方形状の保護部１１と、該保護部１１の長手方向の一端部にほぼ直角に折り曲げて形成されて、床板Ｆの端部、或いは土台２に固定される一対の固定部１２と、前記保護部１１と前記各固定部１２とを連結する左右の一対のヒンジ部１３とから成る。一対のヒンジ部１３は、他の部分と同一の厚さとなっていると共に、その幅も段差状となって狭く形成されていて、保護部１１に鋲９の打付け衝突力が作用した場合には、ヒンジ部１３を中心にして回動し易い構成になっている。各固定部１２の幅方向のほぼ中央部には、ビス挿通孔１２ａが形成されている。保護具Ａ1 は、前記ビス挿通孔１２ａに挿通されたビス１４が、床板Ｆの侵入部Ｆ1 、土台２等に締め込まれることによって固定される。
【００２１】
図３及び図４に示されるように、前記長方形状の保護部１１の各隅部には、長手方向に沿って長孔状となった別のビス挿通孔１１ａが形成されている。前記ビス挿通孔１１ａは、本発明に係る保護具Ａ1 を、壁板７の裏面に直接に密着させて使用する場合に設けられているものであって、後述する本発明の各取付例においては、使用されない。
【００２２】
第１実施例の保護具Ａ1 により、床部における長手方向Ｐの端部に配設された給湯水管Ｂを保護するときの作用について説明する。図１及び図２に示されるように、床板Ｆの侵入部Ｆ1 において、土台２の通し孔２ａの直上部分は切り欠かれていて、給湯水管Ｂを配置させるための開口１５が形成されている。図５及び図６に示される第１取付例では、保護具Ａ1 は、保護部１１を給湯水管Ｂに当接させ、平面視において一対の固定部１２を、給湯水管Ｂの両側方に配置させた状態（開口１５に橋渡しされた状態）で、床板Ｆの侵入部Ｆ1 に固定される。これにより、給湯水管Ｂは、一対の固定部１２どうしの間で、保護部１１の幅方向のほぼ中央部に配置される。ここで、図６に示されるように、保護具Ａ1 における各固定部１２の長さＷ1 は、柱３の長さＷ2 よりも短い（Ｗ1 ＜Ｗ2)。このため、前記保護具Ａ1 を、床板Ｆの侵入部Ｆ1 に固定させたとき、該保護具Ａ1 の全体が柱３の長さＷ2 内に配置される。続いて、壁板７が取付けられる。保護具Ａ1 の保護部１１は、給湯水管Ｂに近接して配置されているため、該保護具Ａ1 が取付けられていても、壁板７の取付作業を支障なく行える。壁板７が取付けられると、該壁板７と保護部１１との間には、鋲９の打ち付けを可能とする大きな空間部Ｖ1(最大空間部）が形成される。
【００２３】
図５及び図６に示されるように、壁板７の下部に幅木８が設置される。前記幅木８の横溝部８ａに、長手方向に所定間隔をおいて多数本の鋲９が打ち込まれることにより、幅木８が壁板７に取付けられる。前述したように、鋲９の長さは、壁板７と幅木８との各板厚の和よりも長く、そのまま打ち込むことにより、給湯水管Ｂを突刺するだけの長さを有している。このため、壁板７を貫通し、壁裏に突出した鋲９の先端部９ａは、空間部Ｖ1 に進入して、保護具Ａ1 の保護部１１に衝突する。そして、鋲９の先端部９ａのみが所定の方向に折り曲げられ、鋲９の残りの大部分は、直線状を維持して前記空間部Ｖ1 に配置される。鋲９は、鋲打機のガイド部に案内されて打ち込まれるので、鋲９の基端部９ｂが曲げられることは殆どなく、従って、保護部１１に衝突した先端部９ａのみが曲げられる。これにより、鋲９の長さが長くて、そのまま打ち込むと給湯水管Ｂを突刺させて、該給湯水管Ｂを損傷させてしまう場合であっても、壁板７と保護部１１との間に空間部Ｖ1(最大空間部）が存しているため、前記鋲９の打ち付けが可能になると共に、保護部１１によって給湯水管Ｂが保護される。鋲９の基端部９ｂは全て、幅木８の横溝部８ａ内に打ち込まれて埋設され、壁表側（室内側）からは、鋲９の基端面が露出するのみである。このため、室内側から見て「鋲９の存在」は殆ど認識されず、幅木８の美観を損ねることはない。
【００２４】
上記した第１取付例は、鋲９の打ち付け前において、給湯水管Ｂと壁板７との間に大きな空間部Ｖ1(最大空間部）が形成されて、前記鋲９が打ち込まれても保護部１１が後退しない場合である。この場合、鋲９が保護部１１に衝突するまでは、鋲９の打付け抵抗が小さいため、該鋲９の打ち付けを容易に、しかも確実に行えるという利点がある。
【００２５】
次に、床板Ｆにおける壁内への侵入部Ｆ1'の侵入長Ｌ1'が、短い場合（Ｌ1'＜Ｌ1)について説明する（第２取付例）。この場合、図７に示されるように、保護具Ａ1 の保護部１１を、壁板７の裏面にほぼ密着させて取付けなければならない。このため、壁板７と保護部１１との間には空間部が形成されないものの、給湯水管Ｂと保護部１１との間に空間部が形成される。壁表から幅木８の横溝部８ａに打ち込まれ、壁板７を貫通して壁裏に突出した鋲９が、保護部１１に衝突する。更に鋲９が打ち込まれると、前記保護部１１は、一対のヒンジ部１３を回動支点として給湯水管Ｂの側に回動し、側面視において傾斜状態を呈する。これにより、壁板７と保護部１１との間に空間部Ｖ2 が形成されて、鋲９の打ち付けが可能になると共に、傾斜状態の保護部１１に衝突した鋲９の先端部が折り曲げられて、給湯水管Ｂが保護される。第１取付例の場合と同様に、鋲９の基端部９ｂは、幅木８の横溝部８ａに埋設される。
【００２６】
上記した第２取付例の場合、保護部１１を壁板７の裏面にほぼ密着させた状態で一対の固定部１２を床板Ｆの侵入部Ｆ1'に固定する取付態様と、予め、保護部１１を回動させた状態（即ち、傾斜させた状態）で固定する取付態様とがあるが、保護具Ａ1 を固定する当初に保護部１１を壁板７に対して傾斜させておく方が、鋲９の打付け抵抗がより小さくなって、該鋲９の打ち付けを容易に、しかも確実に行える利点がある。そして、上記した第２取付例は、鋲９の打ち付けによって壁板７に対して保護部１１が後退して新たな空間部Ｖ2 が形成されるか、或いは鋲９の打ち付け前において壁板７との間に形成されていた空間部が、保護部１１の後退により更に大きくなるかのいずれかの場合である。
【００２７】
上記した第２取付例は、床板Ｆの侵入部Ｆ1'の侵入長Ｌ1'が短いため、保護具Ａ1 の保護部１１を壁板７に近接又は当接させて取付けざるを得ない場合である。これ以外の場合であっても、保護具Ａ1 の保護部１１を壁板７に近接又は当接させて取付けざるを得ない場合がある。例えば、床板Ｆの侵入部Ｆ1'の侵入長Ｌ1'は十分に長いが、柱３の長さＷ2 が短いような場合である。即ち、各固定部１２の長さＷ1 と柱３の長さＷ2 との関係において、保護具Ａ1 を第１取付例の形態で取付けると、各固定部１２の後端部が、柱３の他方の室内側に突出してしまい、当該他方の室内側に壁板７を取付けることが不能となる場合である。しかし、保護具Ａ1 の保護部１１を壁板７に近接又は当接させて取付けることにより、柱３の長さＷ2 が短い場合であっても、上記した不具合を解消することができ、しかも、壁板７の裏面と保護部１１との間に空間部Ｖ2 が形成される。更に、前記保護具Ａ1 が、壁板７を取付けた後であっても取付けられる場合（即ち、後付けできる場合）には、保護部１１を壁板７の裏面に当接させて取付けることにより、各固定部１２の位置決めが容易である。換言すれば、作業者は、保護具Ａ1 の各固定部１２における長さ方向の取付位置を考慮しなくても済むため、無造作に取付けることができるという利点がある。
【００２８】
次に、床板Ｆにおける壁内への侵入部Ｆ1"の侵入長Ｌ1"が、更に短い場合（Ｌ1"＜Ｌ1'＜Ｌ1)について説明する（第３取付例）。この場合の保護具Ａ1'は、図８及び図９に示されるように、前述した保護具Ａ1 の一対の固定部１２に設けられたビス挿通孔１２ａを、長孔状のビス挿通孔１２a'としたものである。各ビス１４は、保護具Ａ1'の全体がビス挿通孔１２a'の形成方向に沿ってスライド可能な程度に緩く締め込まれている。図８及び図９に示されるように、壁表から幅木８の横溝部８ａに打ち込まれ、壁板７を貫通して壁裏に突出した鋲９が、保護部１１に衝突する。鋲９の打付け衝突力により、保護具Ａ1'全体がスライドして後退される。保護具Ａ1'全体が、長孔のビス挿通孔１２a'の端部（後退端）まで後退されると、保護部１１が、一対のヒンジ部１３を回動支点として給湯水管Ｂの側に回動される。これにより、壁板７と保護部１１との間に空間部Ｖ3 が形成されて、鋲９の打ち付けが可能になると共に、傾斜状態の保護部１１に衝突した鋲９の先端部９ａが折り曲げられて、給湯水管Ｂが保護される。第３取付例の場合、保護具Ａ1'が後退することと、保護部１１が回動することの双方によって空間部Ｖ3 が形成されるため、床板Ｆの侵入部Ｆ1"における保護具Ａ1'の取付けを無造作に行うことができる。また、鋲９の打付け時に、保護具Ａ1'の全体が壁板７に対して後退するので、保護部１１に対する鋲９の打付け衝突力が緩和されて、鋲９の打ち付けがスムーズに行われるという利点がある。
【００２９】
次に、保護具Ａ1 を土台２に取付けた場合について説明する（第４取付例）。図１に示されるように、床部において、床板Ｆの幅方向Ｑの両端部は、各柱３及び各間柱４のそれぞれの壁表面３a,４a に接して取付けられていて、壁裏に侵入していない。このような場合、図１０に示されるように、保護具Ａ1 は土台２の上面に取付けられる。保護具Ａ1 が土台２の上面に取付けられた場合であっても、前述した第１ないし第３の各取付例と同様に、壁板７と保護部１１との間に空間部Ｖ4 が形成され、該空間部Ｖ4 に進入した鋲９が保護部１１に衝突して、その先端部９ａが折り曲げられる。このため、鋲９の打ち付けが可能であると共に、給湯水管Ｂが保護される。
【実施例２】
【００３０】
次に、本発明の第２実施例の保護具Ａ2 について説明する。図１１の（イ）に示されるように、第２実施例の保護具Ａ2 は、金属薄板より成る平板状であって、第１実施例の保護具Ａ1 と同様に、幅木８の高さのほぼ２倍の高さを有する縦長の長方形状の保護部１６と、該保護部１６の長手方向の下端部の両端部に延設された一対のヒンジ部１７を介して延設された固定部１８とから成る。前記固定部１８の幅は、保護部１６の幅よりも少し短く、幅方向の両端部にビス１９を挿通させるためのビス挿通孔１８ａが設けられている。そして、各ヒンジ部１７の幅は、保護部１６及び固定部１８の幅よりも遥かに狭くなっていて、保護部１６に鋲９の打付け衝突力が作用した場合に、ヒンジ部１７を中心にして回動し易い構成になっている。前記保護部１６の各隅部には、第１実施例の保護具Ａ1 と同様に、長手方向に沿って長孔状となった別のビス挿通孔１６ａが形成されている。
【００３１】
図１１の（ロ）に示されるように、第２実施例の保護具Ａ2 は、床板Ｆが敷設された後、固定部１８が床板Ｆの端面部（本取付例の場合、下張り材６ａの端面部）に、２本のビス１９によって取付けられる。壁板７が取付けられ、該壁板７の下部に幅木８が取付けられ、鋲９が打ち込まれる。壁板７から突出した鋲９の先端部９ａが、保護部１６を給湯水管Ｂの側に回動させる。壁板７と保護部１６との間に空間部Ｖ5 が形成されるため、壁板７を貫通して壁裏に突出した鋲９の打ち付けが可能になると共に、保護部１６に衝突した鋲９の先端部９ａが折り曲げられる。これにより、給湯水管Ｂが鋲９から保護される。第２実施例の保護具Ａ2 は、床板Ｆの侵入長Ｌ2 が極めて短いため（Ｌ2 ＜Ｌ1"＜Ｌ1'＜Ｌ1)、前記床板Ｆの侵入部Ｆ2 の上面に、第１実施例の保護具Ａ1 を取付けることが困難な場合であっても取付けることができるという利点がある。
【実施例３】
【００３２】
次に、第３実施例の保護具Ａ3 について説明する。図１２の（イ）に示されるように、保護具Ａ3 は、金属薄板における幅方向の両端部を段差状に折り曲げて形成したものである。即ち、保護具Ａ3 は、幅方向の両側部に段差状に設けられた一対の固定部２１と、前記一対の固定部２１を連結する保護部２２とから構成されている。各固定部２１には、ビス２３を挿通させるためのビス挿通孔２１ａが、高さ方向に所定間隔をおいて２個ずつ設けられている。
【００３３】
図１２の（ロ）に示されるように、第３実施例の保護具Ａ3 は、壁板７の裏面で給湯水管Ｂと対応する位置に配置され、一対の固定部２１のビス挿通孔２１ａに挿通された各ビス２３が、壁板７に締め込まれることによって固定される。壁板７が取付けられたとき、保護部２２と給湯水管Ｂとが近接して配置される。これにより、壁板７と給湯水管Ｂとの間には、閉塞された空間部Ｖ6 が形成される。壁表から幅木８に打ち込まれ、壁板７を貫通して壁裏に突出した鋲９の先端部９ａは、前記空間部Ｖ6 に進入し、保護具Ａ3 の保護部２２に衝突して折り曲げられる。これにより、鋲９の打ち付けが可能になる。また、給湯水管Ｂは、常に保護部２２の外側に配置されるため、鋲９から保護される。
【００３４】
第３実施例の保護具Ａ3 は、壁板７の裏面に固定される。このため、壁板７の背面側に壁板等（図示せず）が存しない場合には、保護具Ａ3 を給湯水管Ｂの取付位置に対応させて取付けることができる（即ち、後付けができる）。しかし、壁板７の背面側に壁板等が存する場合には、給湯水管Ｂの取付位置を想定して、保護具Ａ3 を壁板７の裏面に先付けしておくことが必要である。
【図面の簡単な説明】
【００３５】
【図１】床板Ｆの敷設を終えた状態（壁板７を立てる直前の状態）の床部の模式的平面図である。
【図２】図１のＸ1 −Ｘ1 線断面図である。
【図３】本発明の第１実施例の保護具Ａ1 の斜視図である。
【図４】床板Ｆの壁内への侵入部Ｆ1 に給湯水管Ｂに当接させて取付けた保護具Ａ1 により、給湯水管Ｂが保護される状態を壁表側から見た斜視図である。
【図５】図４の状態の平面図である。
【図６】図５のＹ−Ｙ線断面図である。
【図７】床板Ｆの壁内への侵入部Ｆ1'に、保護部１１を壁板７の裏面に密着させて取付けた保護具Ａ1 により、給湯水管Ｂが保護される状態を示す縦断面図である。
【図８】床板Ｆの壁内への侵入部Ｆ1"に取付けられた長孔状のビス挿通孔１２a'を有する保護具Ａ1'により、給湯水管Ｂが保護される状態の平面図である。
【図９】図８のＺ−Ｚ線断面図である。
【図１０】土台２の上面に取付けた保護具Ａ1 により、給湯水管Ｂが保護される状態を示す縦断面図（図１のＸ2 −Ｘ2 線断面図）である。
【図１１】（イ）は、本発明の第２実施例の保護具Ａ2 の斜視図であり、（ロ）は、床板Ｆの壁内への侵入部Ｆ2 の端面に取付けた保護具Ａ2 により、給湯水管Ｂが保護される状態を示す縦断面図である。
【図１２】（イ）は、本発明の第３実施例の保護具Ａ3 の斜視図であり、（ロ）は、壁板７の裏面に取付けた保護具Ａ3 により、給湯水管Ｂが保護される状態を示す横断面図である。
【符号の説明】
【００３６】
Ａ1 〜Ａ3 ：保護具
Ｂ：給湯水管（配線・配管材）
Ｆ：床板（構造物）
Ｖ1 〜Ｖ6 ：空間部
２：土台（構造物）
７：壁板
９：鋲（釘類）
１１：保護部
１２：固定部
１２a,１８a,２１a ：ビス挿通孔
１３，１７：ヒンジ部
１４，１９，２３：ビス
【図１】
0004624891.tif 000002
【図２】
0004624891.tif 000003
【図３】
0004624891.tif 000004
【図４】
0004624891.tif 000005
【図５】
0004624891.tif 000006
【図６】
0004624891.tif 000007
【図７】
0004624891.tif 000008
【図８】
0004624891.tif 000009
【図９】
0004624891.tif 000010
【図１０】
0004624891.tif 000011
【図１１】
0004624891.tif 000012
【図１２】
0004624891.tif 000013